(57)【要約】【課題】本発明は、画像形成面への画像形成が中止されたシート状部材の有効利用を図った画像形成装置に関する。【解決手段】画像形成装置１は、給紙トレイ１１ａ、１１ｂの用紙Ｐを１枚ずつ用紙搬送部２０を通して画像形成部３０に搬送し、画像形成した用紙Ｐを排紙トレイ３に排紙する画像形成において、所定の画像形成中止理由が発生して、画像形成部３０での画像形成が非実行の白紙用紙Ｐが発生すると、該白紙用紙Ｐを、返送部６０によって給紙トレイ１１ａ、１１ｂへ返送する。したがって、画像形成中止によって発生した画像形成非実行の白紙用紙Ｐの再利用を安価かつ適切に図ることができる。【選択図】          図１
2010072065.tif 000002
【特許請求の範囲】
【請求項１】
画像データに基づいてシート状部材に画像を形成する画像形成手段と、シート状部材を収納するシート状部材収納手段と、該シート状部材収納手段の該シート状部材を１枚ずつ送り出す送給手段と、該送給手段から送り出されてきたシート状部材を該画像形成手段に搬送する搬送手段と、該画像形成手段で画像形成された該シート状部材を排紙収納手段に排紙する排紙手段と、該画像形成手段を通過したシート状部材を該シート状部材収納手段に返送する返送手段と、所定の画像形成中止理由によって該画像形成手段での画像形成が非実行の白シート状部材が発生すると、該白シート状部材を該返送手段によって該シート状部材収納手段へ返送する搬送制御手段と、を備えていることを特徴とする画像形成装置。
【請求項２】
前記画像形成装置は、手差し操作によって前記シート状部材が載置される手差し収納手段と、該手差し収納手段のシート状部材を１枚ずつ前記搬送手段に送り込む手差し送給手段と、前記画像形成手段を通過したシート状部材を該手差し収納手段に返送する手差し返送手段と、を備え、前記搬送制御手段は、前記白シート状部材を該手差し返送手段によって該手差し収納手段へ返送することを特徴とする請求項１記載の画像形成装置。
【請求項３】
前記画像形成装置は、所定の多数枚の前記シート状部材を収納する大容量収納手段と、該大容量収納手段のシート状部材を１枚ずつ前記搬送手段に送り込む大容量送給手段と、該画像形成手段を通過したシート状部材を該大容量収納手段に返送する大容量返送手段と、を備え、前記搬送制御手段は、前記白シート状部材を該大容量返送手段によって該大容量収納手段へ返送することを特徴とする請求項１または請求項２記載の画像形成装置。
【請求項４】
前記画像形成装置は、前記シート状部材収納手段、前記手差し収納手段、または、前記大容量収納手段の収納する前記シート状部材の収納量を検出する収納量検出手段と、該シート状部材収納手段、該手差し収納手段、または、該大容量収納手段の収納するシート状部材の種類を検出する部材種類検出手段と、を備え、前記搬送制御手段は、該収納量検出手段及び該部材種類検出手段の検出結果に基づいて前記白シート状部材と同じ種類のシート状部材を収納し最も収納量の少ない該シート状部材収納手段、該手差し収納手段、または、該大容量収納手段へ該白シート状部材を返送することを特徴とする請求項１から請求項３のいずれかに記載の画像形成装置。
【請求項５】
前記画像形成装置は、前記画像形成手段で画像形成された前記シート状部材を表裏反転させて該画像形成手段に搬送する反転搬送手段を備え、前記搬送制御手段は、該画像形成手段で片面に画像形成されたシート状部材を該反転搬送手段で該画像形成手段に搬送して画像形成する該シート状部材が前記白シート状部材になると、該白シート状部材を前記シート状部材収納手段、前記手差し収納手段、または、前記大容量収納手段へ返送することを特徴とする請求項１から請求項４のいずれかに記載の画像形成装置。
【請求項６】
前記画像形成装置は、前記白シート状部材を一時待避させる待避手段を備え、前記搬送制御手段は、該白シート状部材を該待避手段に一時待避させた後、所定タイミングに該シート状部材を前記シート状部材収納手段、前記手差し収納手段、または、前記大容量収納手段へ返送することを特徴とする請求項１から請求項５のいずれかに記載の画像形成装置。
【請求項７】
前記画像形成装置は、前記白シート状部材を前記シート状部材収納手段、前記手差し収納手段、または、前記大容量収納手段に返送する返送処理を実行するか否か選択する選択手段を備え、前記搬送制御手段は、該選択手段で該返送処理の実行が選択されているときにのみ、該返送処理を実行することを特徴とする請求項１から請求項６のいずれかに記載の画像形成装置。
【発明の詳細な説明】
【技術分野】
【０００１】
本発明は、画像形成装置に関し、詳細には、原稿ジャムや画像形成キャンセル操作等によって搬送が開始されたシート状部材の画像形成面への画像形成が中止された該シート状部材の有効利用を図った画像形成装置に関する。
【背景技術】
【０００２】
プリンタ装置、複写装置、複合装置等の画像形成装置においては、所定ページの画像データの画像を画像形成するための用紙の搬送を開始してから該用紙への画像を形成する前に、操作表示部やホスト装置から該画像形成の中止を指示する画像形成中止命令が入ると、画像形成対象面に画像の形成されない白紙が発生することになる。
【０００３】
そして、従来、給紙部から印刷手段に用紙を給紙して印刷された用紙を蓄積部に蓄積する印刷処理で、印刷中止が指示されると、該蓄積部に蓄積された用紙の裏面が白紙か否かを検知して、裏面が白紙であると検知された用紙を、リサイクル専用の格納部に格納させる技術が提案されている（特許文献１参照）。
【０００４】
また、従来、画像形成時に用紙ジャムが発生すると、該用紙ジャムの発生位置に応じて、白紙専用トレイ、裏紙専用トレイ等の専用トレイに、該ジャムの発生した用紙を、通常の給紙速度に対して倍の速度で逆搬送して戻す技術が提案されている（特許文献２参照）。
【０００５】
さらに、従来、ジャム紙を集積する専用の集積手段、該集積手段にジャム紙を搬送するジャム紙搬送手段及び該集積手段の用紙を画像形成手段に供給する再給紙手段を設け、用紙ジャムが発生すると、該ジャム紙が既に集積手段に集積されている用紙のサイズと同じであると該ジャム紙を該集積手段に集積して、集積手段の用紙サイズとジャム紙のサイズが異なると、ジャム紙を排紙する技術が提案されている（特許文献３参照）。
【０００６】
【特許文献１】特開平１１−１５３９２８号公報
【特許文献２】特開２００２−２８４３９６号公報
【特許文献３】特許第３６２５３００号公報
【発明の開示】
【発明が解決しようとする課題】
【０００７】
しかしながら、上記公報記載の従来技術にあっては、非画像形成のシート状部材を安価にかつより適切に有効利用を図る上で、改良の必要があった。
【０００８】
すなわち、特許文献１記載の従来技術にあっては、印刷中止が発生すると、蓄積部の用紙の裏面が白紙か否かのみを検出し、裏面が白紙であると、印刷の中止された用紙をリサイクル専用の格納部に搬送格納させているため、印刷中止された用紙が裏面に既に画像形成されている裏紙であったり、片面ずつ両面に印刷する両面印刷中の片面画像形成済みの用紙であると、印刷中止された用紙を適切に再利用の対象とすることができず、利用性が悪いとともに、リサイクル専用の格納部や搬送手段及び蓄積部の用紙の裏面が白紙であるか否かを検出する検出手段を必要とし、コストが高くつくという問題があった。
【０００９】
また、特許文献２記載の従来技術にあっては、用紙ジャムの発生位置にのみ基づいて該ジャム紙を戻すトレイを決定しており、画像形成対象面に画像形成が行われたのか白紙なのかが判断されていないため、ジャム紙の停止位置が、転写部を通過しているが実際には画像形成が行われていない用紙を、画像形成済の用紙として搬送するため、実際は両面が白紙として再利用できるにもかかわらず片面しか利用できず、用紙の有効利用を図る上で、改良の必要があった。
【００１０】
さらに、特許文献３記載の従来技術にあっては、ジャム紙を集積する専用の集積手段、該集積手段にジャム紙を搬送するジャム紙搬送手段及び該集積手段の用紙を画像形成手段に供給する再給紙手段を設けているため、コストが高くつくという問題があった。
【００１１】
そこで、本発明は、画像形成中止理由の発生によって発生した画像形成非実行の白シート状部材の再利用を安価かつ適切に図る画像形成装置を提供することを目的としている。
【課題を解決するための手段】
【００１２】
本発明は、上記目的を達成するために、シート状部材収納手段のシート状部材を１枚ずつ画像形成手段に搬送して、画像形成したシート状部材を排紙収納手段に排紙する画像形成において、所定の画像形成中止理由が発生して、画像形成手段での画像形成が非実行の白シート状部材が発生すると、該白シート状部材を、返送手段によって該シート状部材収納手段へ返送することを特徴としている。
【００１３】
また、本発明は、手差し操作によって前記シート状部材が載置される手差し収納手段と、該手差し収納手段のシート状部材を１枚ずつ前記搬送手段に送り込む手差し送給手段と、前記画像形成手段を通過したシート状部材を該手差し収納手段に返送する手差し返送手段と、を備え、前記白シート状部材を該手差し返送手段によって該手差し収納手段へ返送することを特徴としてもよい。
【００１４】
さらに、本発明は、所定の多数枚の前記シート状部材を収納する大容量収納手段と、該大容量収納手段のシート状部材を１枚ずつ前記搬送手段に送り込む大容量送給手段と、該画像形成手段を通過したシート状部材を該大容量収納手段に返送する大容量返送手段と、を備え、前記白シート状部材を該大容量返送手段によって該大容量収納手段へ返送することを特徴としてもよい。
【００１５】
また、本発明は、前記シート状部材収納手段、前記手差し収納手段、または、前記大容量収納手段の収納する前記シート状部材の収納量と、該シート状部材の種類を検出して、該検出結果に基づいて前記白シート状部材と同じ種類のシート状部材を収納し最も収納量の少ない該シート状部材収納手段、該手差し収納手段、または、該大容量収納手段へ該白シート状部材を返送することを特徴としてもよい。
【００１６】
さらに、本発明は、前記画像形成手段で画像形成された前記シート状部材を表裏反転させて該画像形成手段に搬送する反転搬送手段を備え、該画像形成手段で片面に画像形成されたシート状部材を該反転搬送手段で該画像形成手段に搬送して画像形成する該シート状部材が前記白シート状部材になると、該白シート状部材を前記シート状部材収納手段、前記手差し収納手段、または、前記大容量収納手段へ返送することを特徴としてもよい。
【発明の効果】
【００１７】
本発明によれば、画像形成中止理由の発生によって発生した画像形成非実行の白シート状部材の再利用を安価かつ適切に図ることができる。
【発明を実施するための最良の形態】
【００１８】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１９】
図１は、本発明の画像形成装置の第１実施例を適用した画像形成装置１の正面概略構成図である。
【００２０】
図１において、画像形成装置１は、本体筐体２内に、用紙給紙部１０、用紙搬送部２０、画像形成部３０、排紙搬送部４０、切り替え部５０、返送部６０等が設けられており、本体筐体２の側面に、排紙トレイ３が設けられているとともに、図示しない操作表示部、外部のコンピュータ等のホスト装置と通信してホスト装置から印刷指示等の各種コマンドと画像データを受信する通信部等が設けられている。
【００２１】
用紙給紙部１０には、複数（図１では、２個）の給紙トレイ（シート状部材収納手段）１１ａ、１１ｂが設けられており、各給紙トレイ１１ａ、１１ｂには、それぞれ異なる紙サイズの用紙（シート状部材）Ｐを複数枚収納可能である。用紙給紙部１０は、各給紙トレイ１１ａ、１１ｂに対応して、送給ローラ１２ａ、１２ｂと、送給ローラ１２ａ、１２ｂを回動中心として回動可能に設けられたアーム１３ａ、１３ｂと、該アーム１３ａ、１３ｂの他端側に取り付けられた引き出しローラ１４ａ、１４ｂと、送給ローラ１２ａ、１２ｂに対応する位置に配設されたローラ１５ａ、１５ｂ等を備えており、また、図示しないが、各給紙トレイ１１ａ、１１ｂ内には、給紙トレイ１１ａ、１１ｂ内に収納された用紙Ｐを引き出しローラ１４ａ、１４ｂ方向に付勢する付勢板が設けられている。
【００２２】
用紙給紙部１０は、引き出しローラ１４ａ、１４ｂによって、給紙トレイ１１ａ、１１ｂ内の最上段の用紙Ｐから１枚ずつ分離して引き出し、該引き出された用紙Ｐを、送給ローラ１２ａ、１２ｂ及びローラ１５ａ、１５ｂによってそれぞれ用紙搬送部２０に送給する。これら引き出しローラ１４ａ、送給ローラ１２ａ及びローラ１５ａと引き出しローラ１４ｂ、送給ローラ１２ｂ及びローラ１５ｂは、それぞれ全体として送給手段として機能している。
【００２３】
用紙搬送部（搬送手段）２０は、搬送ローラ２１及びレジストローラ２２等を備えており、用紙給紙部１０の各給紙トレイ１１ａ、１１ｂから送り出されてきた用紙Ｐをレジストローラ２２まで搬送して、レジストローラ２２で画像形成部２０での画像形成とタイミング調整を図って画像形成部２０に搬送する。
【００２４】
画像形成部（画像形成手段）３０は、画像形成ユニット３１と定着部３２等を備えており、画像形成ユニット３１は、感光体３３の周囲に帯電部３４、露光部３５、現像部３６、転写部３７及び図示しない除電部、クリーニング部等を備えている。なお、画像形成ユニット３１は、モノクロ画像を形成する画像形成ユニットであってもよいし、カラー画像を形成するカラー画像形成ユニットのいずれであってもよい。画像形成ユニット３１は、時計方向に回転駆動されるドラム状の感光体３３を帯電部で一様に帯電させ、該一様に帯電された感光体３３に露光部３５から画像データに基づいて変調したレーザ光を照射して静電潜像を形成する。画像ユニット３１は、静電潜像の形成された感光体３３に現像部３６からトナーを供給してトナー画像を形成し、該トナー画像を転写部３７と感光体３３との間に用紙搬送部２０によって搬送されてきた用紙Ｐに転写する。画像形成部３０は、画像形成ユニット３１でトナー画像の転写された用紙Ｐを定着部３２で加熱加圧しつつ排紙搬送部４０に送ることで、トナー画像を用紙Ｐに定着させる。
【００２５】
排紙搬送部４０は、複数の搬送ローラ４１、４２、４３等を備えており、画像形成部３０で画像形成された用紙Ｐを順次切り替え部５０に搬送する。
【００２６】
切り替え部５０は、排紙搬送部４０によって搬送されてきた用紙Ｐを、排紙トレイ３方向と返送部６０方向に切り替えて送り出す。
【００２７】
返送部（返送手段）６０は、排紙搬送部４０と用紙給紙部１０を結ぶ返送路６１、切り替え部５から送り込まれてきた用紙Ｐを、返送路６１上を用紙給紙部１０方向に返送する複数の搬送ローラ６２、６３と該返送されてきた用紙Ｐを給紙トレイ１１ａに送り込む搬送ローラ６４と給紙トレイ１１ｂに送り込む搬送ローラ６５等を備えており、切り替え部５にから送り込まれてきた用紙Ｐを給紙トレイ１１ａと給紙トレイ１１ｂのいずれかに返送する。
【００２８】
なお、図示しないが、画像形成装置１は、画像形成装置１の各部を制御する制御部を備えており、ＭＦＰ１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等のコンピュータが読み取り可能な記録媒体に記録されている本発明の搬送制御方法を伴う画像形成制御方法を実行する画像形成制御プログラムを読み込んで制御部のＲＯＭやハードディスク等に導入することで、後述する所定の画像形成中止によって発生した画像形成非実行の白紙の用紙（白シート状部材）Ｐを用紙給紙部１０に戻す搬送制御方法を実行する画像形成制御方法を実行する画像形成装置として構築されている。この画像形成制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００２９】
そして、画像形成装置１は、ホスト装置からの画像データと印刷指示コマンドを受け取って、該画像データの画像形成処理を実行するとともに、ホスト装置から画像形成中止コマンドが入力されると、画像形成を中止し、また、操作表示部で画像形成中止操作が行われたり、画像形成装置１が原稿の画像を読み取る原稿画像読取部を備えているときには、該原稿のジャム発生等の画像形成中紙理由が発生すると、画像形成を中止する。画像形成装置１は、これらの画像形成中止理由によって画像形成部３０による画像形成を中止した結果、画像形成を行うために既に用紙給紙部１０から画像形成部３０へ搬送を開始していた用紙Ｐに画像が形成されずに白紙の用紙Ｐ（以下、白紙用紙Ｐという。）が発生することがある。画像形成装置１は、この画像形成中止によって発生した白紙用紙Ｐを、排紙トレイ３に排出するのではなく、切り替え部５０及び返送部６０を通して、用紙給紙部１０の給紙トレイ１１ａ、１１ｂに返送する。
【００３０】
次に、本実施例の作用を説明する。本実施例の画像形成装置１は、画像形成において、該画像形成を中止させる所定の画像形成中止理由が発生して、該画像形成中止理由の発生によって画像形成部３０で画像形成されない白紙用紙Ｐが発生すると、該白紙用紙Ｐを用紙給紙部１０の給紙トレイ１１ａ、１１ｂに戻す搬送制御処理を行う。
【００３１】
まず、通常の画像形成時における画像形成装置１の動作について説明する。画像形成装置１は、画像形成が指示されると、画像形成部３０が、該画像データに基づいて画像形成ユニット３１の露光部３５から感光体３３に静電潜像を形成してトナー画像を形成するとともに、用紙給紙部１０の適宜の給紙トレイ１１ａ、１１ｂから用紙Ｐの給紙を開始して、該給紙トレイ１１ａ、１１ｂからの用紙Ｐを用紙搬送部２０によってレジストローラ２２まで搬送する。画像形成装置１は、該感光体３３上のトナー画像が転写部３７の位置に搬送されるタイミングにあわせて、転写部３７と感光体３３との間にレジストローラ２２から用紙Ｐを搬送し、該転写部３７と感光体３３との間に搬送されてきた用紙Ｐにトナー画像を転写する。画像形成部３０は、トナー画像の転写された用紙Ｐを定着部３２で定着して、排紙搬送部４０に送り出す。
【００３２】
排紙搬送部４０は、画像の形成された用紙を切り替え部５０に搬送し、切り替え部５０は、用紙Ｐの搬送経路を排紙トレイ３方向に選択して、画像形成された用紙Ｐを排紙トレイ３に排出させる。
【００３３】
このような画像形成を行っている途中または画像形成を開始する際に、操作表示部での画像形成中止操作またはホスト装置からの画像形成中止コマンドの入力等があって画像形成中止理由が発生すると、該画像形成中止理由の発生タイミングによっては、既に用紙給紙部１０から画像形成部３０に給紙を開始している用紙Ｐへの画像形成が中止されて、画像形成部３０で用紙Ｐへの画像形成が行われず、白紙用紙Ｐが発生する。
【００３４】
ところが、この白紙用紙Ｐは、画像形成部３０で画像形成面（感光体３３側の面）に画像形成されていないため、再利用が可能である。
【００３５】
そこで、画像形成装置１は、画像形成中止理由の発生によって、画像形成部３０で画像形成されていない白紙用紙Ｐが発生すると、切り替え部５０を排紙トレイ３方向から返送部６０方向に切り替え、画像形成部３０を画像形成されることなく通過した白紙用紙Ｐを排紙搬送部４０によって切り替え部５０に搬送する。切り替え部５０は、搬送されてきた白紙用紙Ｐを返送部６０方向に送り込み、返送部６０は、切り替え部５０から送り込まれてきた白紙用紙Ｐを、搬送ローラ６２、６３、及び搬送ローラ６４または搬送ローラ６５によって、用紙給紙部１０のいずれかの給紙トレイ１１ａ、１１ｂに返送する。この白紙用紙Ｐを用紙給紙部１０の給紙トレイ１１ａと給紙トレイ１１ｂのいずれに返送するかは、操作表示部の操作等によって予め選択設定された選択条件に基づいて自動選択して返送する。この選択条件としては、例えば、該白紙用紙Ｐを送給した給紙トレイ１１ａ、１１ｂに返送する送給元トレイ返送、白紙用紙Ｐと同じ用紙種別（用紙サイズ等）を収納しているまたは収納していた給紙トレイ１１ａ、１１ｂのうち、用紙残量の少ないあるいは空の給紙トレイ１１ａ、１１ｂに返送する少残量トレイ返送、操作表示部の選択またはホスト装置から指定された給紙トレイ１１ａ、１１ｂに返送する指定トレイ返送等が可能である。この白紙用紙Ｐと同じ用紙種別（用紙サイズ等）を収納しているまたは収納していた給紙トレイ１１ａ、１１ｂのうち、用紙残量の少ないあるいは空の給紙トレイ１１ａ、１１ｂに返送する少残量トレイ返送は、給紙トレイ１１ａ、１１ｂに収納されているまたは収納されていた用紙Ｐの用紙種別を検出する用紙種別検出センサ（部材種類検出手段）及び用紙Ｐの残量を検出する用紙センサ（収納量検出手段）を設けることで、対応することができる。
【００３６】
なお、画像形成中止理由が発生しても画像形成中止理由の発生タイミングによっては、画像形成部３０によって用紙Ｐに画像形成が行われることがあり、画像形成装置１は、画像形成中止理由の発生タイミングがこのような画像形成部３０で画像形成の行われるタイミングであるときには、上述のように、画像形成の行われた用紙Ｐを排紙トレイ３に排出する。また、画像形成中止理由の発生タイミングによっては、画像形成部３０での画像形成の途中で画像形成を中止する事態となることがある。このような場合には、適切な画像が用紙Ｐに形成されておらず、また、画像形成面が白紙ではなく途中まで不要な画像が形成されているため再利用を行うことができないので、この途中まで画像形成された用紙Ｐについては、排紙トレイ３に排紙する。なお、この用紙Ｐへの画像の非形成、途中形成及び完全形成のいずれの状態であるかは、例えば、画像形成中止理由の発生タイミングと、画像形成部３０による画像形成状態を実験等で確認して不揮発性メモリ等に画像形成状態情報として格納し、この画像形成状態情報を参照することで、判断することができる。
【００３７】
このように、本実施例の画像形成装置１は、給紙トレイ１１ａ、１１ｂの用紙Ｐを１枚ずつ用紙搬送部２０を通して画像形成部３０に搬送して、画像形成した用紙Ｐを排紙トレイ３に排紙する画像形成において、所定の画像形成中止理由が発生して、画像形成部３０での画像形成が非実行の白紙用紙Ｐが発生すると、該白紙用紙Ｐを、返送部６０によって給紙トレイ１１ａ、１１ｂへ返送している。
【００３８】
したがって、画像形成中止によって発生した画像形成非実行の白紙用紙Ｐの再利用を安価かつ適切に図ることができ、白紙用紙Ｐを利用する上での手間を省いて、利用性を安価に向上させることができる。
【００３９】
また、本実施例の画像形成装置１は、白紙用紙Ｐを返送する給紙トレイ１１ａ、１１ｂのうち、白紙用紙Ｐを送給した給紙トレイ１１ａ、１１ｂに返送する送給元トレイ返送、白紙用紙Ｐと同じ用紙種別（用紙サイズ等）を収納しているまたは収納している給紙トレイ１１ａ、１１ｂのうち、用紙残量の少ないあるいは空の給紙トレイ１１ａ、１１ｂに返送する少残量トレイ返送、操作表示部の選択またはホスト装置からの指定された給紙トレイ１１ａ、１１ｂに返送する指定トレイ返送等を適宜選択して、返送している。
【００４０】
したがって、適切な返送先を選んで白紙用紙Ｐを返送させることができ、例えば、用紙残量の少ないあるいは空の給紙トレイ１１ａ、１１ｂに白紙用紙Ｐを返送して、リミットレス給紙等を実現して、利用性をより一層安価に向上させることができる。
【実施例２】
【００４１】
図２は、本発明の画像形成装置の第２実施例を適用した画像形成装置１００の正面概略構成図である。
【００４２】
なお、本実施例は、上記第１実施例の画像形成装置１と同様の画像形成装置に適用したものであり、本実施例の説明において、上記第１実施例と同様の構成部分には、同一の符号を付して、その説明を省略または簡略化する。
【００４３】
図２において、本実施例の画像形成装置１００は、上記第１実施例の画像形成装置１と同様の用紙給紙部１０、用紙搬送部２０、画像形成部３０、排紙搬送部４０、切り替え部５０、返送部６０等を備えているとともに、手差し給紙部１１０と該手差し給紙部１１０に白紙用紙Ｐを返送する手差し返送部１２０を備えている。
【００４４】
手差し給紙部１１０は、手差し給紙トレイ１１１、送給ローラ１１２、送給ローラ１１２を回動中心として回動可能に設けられたアーム１１３、該アーム１１３の他端側に取り付けられた引き出しローラ１１４、送給ローラ１１２に対応する位置に配設されたローラ１１５等を備えており、手差し給紙トレイ（手差し収納手段）１１１上には、手差しによって１枚または複数枚の用紙Ｐが載置される。手差し給紙部１１０は、引き出しローラ１１４によって、手差し給紙トレイ１１１上の最上段の用紙Ｐから１枚ずつ分離して引き出し、該引き出された用紙Ｐを、送給ローラ１１２及びローラ１１５によって用紙搬送部２０のレジストローラ２２に送給する。したがって、送給ローラ１１２、アーム１１３、引き出しローラ１４及びローラ１１５は、全体として引き出し送給手段として機能している。
【００４５】
手差し返送部（手差し返送手段）１２０は、返送部６０と用紙搬送部２０とを接続する手差し返送路１２１、手差し返送路１２１に沿って用紙Ｐを搬送する複数の搬送ローラ１２２、１２３等を備えており、返送部６０を用紙給紙部１０方向に返送されてきた白紙用紙Ｐを搬送ローラ１２２、１２３によって手差し返送路１２１上を用紙搬送部２０へ搬送する。
【００４６】
そして、本実施例の画像形成装置１００の用紙搬送部２０には、切り替え部２３が配設されており、切り替え部２３は、用紙搬送部２０の搬送ローラ２１によって搬送される用紙Ｐの搬送方向をレジストローラ２２方向と手差し給紙部１１０方向に切り替える。
【００４７】
次に、本実施例の作用を説明する。本実施例の画像形成装置１００は、手差し給紙部１１０を用いた画像形成において、該画像形成を中止させる所定の画像形成中止理由が発生して、該画像形成中止理由の発生によって画像形成部３０で画像形成されない白紙用紙Ｐが発生すると、該白紙用紙Ｐを手差し給紙部１１０の手差し給紙トレイ１１１に戻す搬送制御処理を行う。
【００４８】
まず、手差し給紙部１１０を用いた通常の画像形成時における画像形成装置１００の動作について説明する。画像形成装置１００は、画像形成が指示されると、画像形成部３０が、該画像データに基づいて画像形成ユニット３１の露光部３５から感光体３３に静電潜像を形成してトナー画像を形成するとともに、手差し給紙部１１０の手差し給紙トレイ１１１上の用紙Ｐの給紙を開始して、該手差し給紙トレイ１１１上の用紙Ｐを用紙搬送部２０のレジストローラ２２まで搬送する。画像形成装置１００は、該感光体３３上のトナー画像が転写部３７の位置に搬送されるタイミングにあわせて、転写部３７と感光体３３との間にレジストローラ２２から用紙Ｐを搬送し、該用紙Ｐに転写部３７によって感光体３３上のトナー画像を用紙Ｐに転写する。画像形成部３０は、トナー画像の転写された用紙Ｐを定着部３２で定着して、排紙搬送部４０に送り出す。
【００４９】
排紙搬送部４０は、画像の形成された用紙Ｐを切り替え部５０に搬送し、切り替え部５０は、用紙Ｐの搬送経路を排紙トレイ３方向に選択して、画像形成された用紙Ｐを排紙トレイ３に排出させる。
【００５０】
このような手差し給紙部１１０を用いた画像形成を行っている途中または画像形成を開始する際に、操作表示部での画像形成中止操作またはホスト装置からの画像形成中止コマンドの入力等があって画像形成中止理由が発生して、既に手差し給紙部１１０から送り出した用紙Ｐへの画像形成が中止されて、画像形成部３０で用紙Ｐへの画像形成が行われず、白紙用紙Ｐが発生する。
【００５１】
ところが、この白紙用紙Ｐは、画像形成部３０で画像形成面（感光体３３側の面）に画像形成されていないため、再利用が可能である。
【００５２】
そこで、画像形成装置１００は、画像形成中止理由の発生によって、画像形成部３０で画像形成されていない白紙用紙Ｐが発生すると、切り替え部５０を排紙トレイ３方向から返送部６０方向に切り替えるとともに、切り替え部２３をレジストローラ２２方向から手差し給紙部１１０方向に切り替える。画像形成装置１００は、画像形成部３０で画像形成されることなく画像形成部３０を通過した白紙用紙Ｐを排紙搬送部４０によって切り替え部５０に搬送し、切り替え部５０が、搬送されてきた白紙用紙Ｐを返送部６０方向に送り込む。返送部６０は、切り替え部５０から送り込まれてきた白紙用紙Ｐを、搬送ローラ６２、６３によって手差し返送部１２０に搬送し、手差し返送部１２０は、返送部６０から送り込まれた白紙用紙Ｐを手差し返送路１２１上を搬送ローラ１２２、１２３によって用紙搬送部２０に搬送する。用紙搬送部２０は、手差し返送部１２０から搬送されてきた白紙用紙Ｐを切り替え部２３方向に搬送し、切り替え部２３は、用紙搬送部２０によって搬送されてきた白紙用紙Ｐを、レジストローラ２２方向から手差し返送部１２０方向に切り替えて送り込む。
【００５３】
手差し返送部１２０は、用紙Ｐの給紙方向とは逆方向に送給ローラ１１２、引き出しローラ１１４及びローラ１１５を回転駆動させて、切り替え部２３から戻されてきた白紙用紙Ｐを手差し給紙トレイ１１１上に戻す。
【００５４】
このように、本実施例の画像形成装置１００は、手差し操作によって用紙Ｐが載置される手差し給紙トレイ１１１の該用紙Ｐを、手差し給紙部１１０によって１枚ずつ用紙搬送部２０に搬送して画像形成部３０で画像形成する際に、画像形成中止理由が発生して、白紙用紙Ｐが発生すると、該白紙用紙Ｐを、手差し返送部１２０によって手差し給紙トレイ１１１に返送している。
【００５５】
したがって、手差し給紙トレイ１１１を利用して用紙Ｐに画像形成を行う際に、画像形成中止によって発生した画像形成非実行の白紙用紙Ｐの再利用を安価かつ適切に図ることができ、白紙用紙Ｐを利用する上での手間を省いて、利用性を安価に向上させることができる。
【実施例３】
【００５６】
図３は、本発明の画像形成装置の第３実施例を適用した画像形成装置２００の正面概略構成図である。
【００５７】
なお、本実施例は、上記第１実施例の画像形成装置１と同様の画像形成装置に適用したものであり、本実施例の説明において、上記第１実施例と同様の構成部分には、同一の符号を付して、その説明を省略または簡略化する。
【００５８】
図３において、本実施例の画像形成装置２００は、上記第１実施例の画像形成装置１と同様の用紙給紙部１０、用紙搬送部２０、画像形成部３０、排紙搬送部４０、切り替え部５０、返送部６０等を備えているとともに、大容量給紙部２１０と該大容量給紙部２１０に白紙用紙Ｐを返送する大容量返送部２２０を備えている。
【００５９】
大容量給紙部２１０は、大容量給紙トレイ２１１、送給ローラ２１２、送給ローラ２１２を回動中心として回動可能に設けられたアーム２１３、該アーム２１３の他端側に取り付けられた引き出しローラ２１４、送給ローラ２１２に対応する位置に配設されたローラ２１５及び搬送ローラ２１６等を備えており、大容量給紙トレイ（大容量収納手段）２１１には、多数枚の用紙Ｐが収納載置される。大容量給紙部２１０は、引き出しローラ２１４によって、大容量給紙トレイ２１１上の最上段の用紙Ｐから１枚ずつ分離して引き出し、該引き出された用紙Ｐを、送給ローラ２１２、ローラ２１５及び搬送ローラ２１６によって用紙搬送部２０の搬送ローラ２１に送給する。したがって、送給ローラ２１２、アーム２１３、引き出しローラ２１４及びローラ２１５は、全体として大容量送給手段として機能している。
【００６０】
大容量返送部（大容量返送手段）２２０は、返送部６０と用紙搬送部２０とを接続する大容量返送路２２１、大容量返送路２２１に沿って用紙Ｐを搬送する複数の搬送ローラ２２２、２２３等を備えており、返送部６０を用紙給紙部１０方向に返送されてきた白紙用紙Ｐを搬送ローラ２２２、２２３によって大容量返送路２２１上を用紙搬送部２０へ搬送する。
【００６１】
そして、本実施例の画像形成装置２００の用紙搬送部２０には、切り替え部２４が配設されており、切り替え部２４は、用紙搬送部２０の搬送ローラ２１方向に搬送される用紙Ｐの搬送方向を搬送ローラ２１方向と大容量給紙部２１０方向に切り替える。
【００６２】
次に、本実施例の作用を説明する。本実施例の画像形成装置２００は、大容量給紙部２１０を用いた画像形成において、該画像形成を中止させる所定の画像形成中止理由が発生して、該画像形成中止理由の発生によって画像形成部３０で画像形成されない白紙用紙Ｐが発生すると、該白紙用紙Ｐを大容量給紙部２１０の大容量給紙トレイ２１１に戻す搬送制御処理を行う。
【００６３】
まず、大容量給紙部２１０を用いた通常の画像形成時における画像形成装置２００の動作について説明する。画像形成装置２００は、画像形成が指示されると、画像形成部３０が、該画像データに基づいて画像形成ユニット３１の露光部３５から感光体３３に静電潜像を形成してトナー画像を形成するとともに、大容量給紙部２１０の大容量給紙トレイ２１１に収納されている用紙Ｐの給紙を開始して、該大容量給紙トレイ２１１上の用紙Ｐを用紙搬送路２０に送り出して、搬送ローラ２１によってレジストローラ２２まで搬送する。画像形成装置２００は、該感光体３３上のトナー画像が転写部３７の位置に搬送されるタイミングにあわせて、転写部３７と感光体３３との間にレジストローラ２２から用紙Ｐを搬送し、該用紙Ｐに転写部３７によって感光体３３上のトナー画像を用紙Ｐに転写する。画像形成部３０は、トナー画像の転写された用紙Ｐを定着部３２で定着して、排紙搬送部４０に送り出す。
【００６４】
排紙搬送部４０は、画像の形成された用紙Ｐを切り替え部５０に搬送し、切り替え部５０は、用紙Ｐの搬送経路を排紙トレイ３方向に選択して、画像形成された用紙Ｐを排紙トレイ３に排出させる。
【００６５】
このような大容量給紙部２１０を用いた画像形成を行っている途中または画像形成を開始する際に、操作表示部での画像形成中止操作またはホスト装置からの画像形成中止コマンドの入力等があって画像形成中止理由が発生して、既に大容量給紙部２１０から送り出した用紙Ｐへの画像形成が中止されて、画像形成部３０で用紙Ｐへの画像形成が行われず、白紙用紙Ｐが発生する。
【００６６】
ところが、この白紙用紙Ｐは、画像形成部３０で画像形成面（感光体３３側の面）に画像形成されていないため、再利用が可能である。
【００６７】
そこで、画像形成装置２００は、画像形成中止理由の発生によって、画像形成部３０で画像形成されていない白紙用紙Ｐが発生すると、切り替え部５０を排紙トレイ３方向から返送部６０方向に切り替えるとともに、切り替え部２４をレジストローラ２２方向から大容量給紙部２１０方向に切り替える。画像形成装置２００は、画像形成部３０で画像形成されることなく画像形成部３０を通過した白紙用紙Ｐを排紙搬送部４０によって切り替え部５０に搬送し、切り替え部５０は、搬送されてきた白紙用紙Ｐを返送部６０方向に送り込む。返送部６０は、切り替え部５０から送り込まれてきた白紙用紙Ｐを、搬送ローラ６２、６３によって大容量返送部２２０に搬送し、大容量返送部２２０は、返送部６０から送り込まれた白紙用紙Ｐを、大容量返送路２２１上を搬送ローラ２２２、２２３によって用紙搬送部２０に搬送する。用紙搬送部２０は、大容量返送部２２０から搬送されてきた白紙用紙Ｐを切り替え部２４によって、レジストローラ２２方向から大容量返送部２２０方向に切り替えて送り込む。
【００６８】
大容量返送部２２０は、用紙Ｐの給紙方向とは逆方向に送給ローラ２１２、引き出しローラ２１４、ローラ２１５及び搬送ローラ２１６を回転駆動させて、切り替え部２４から戻されてきた白紙用紙Ｐを大容量給紙トレイ２１１上に戻す。
【００６９】
このように、本実施例の画像形成装置２００は、多数枚の用紙Ｐを収納する大容量給紙トレイ２１１の用紙Ｐを、大容量給紙部２１０によって１枚ずつ用紙搬送部２０に搬送して、画像形成部３０で画像形成する際に、画像形成中止理由が発生して、白紙用紙Ｐが発生すると、該白紙用紙Ｐを、大容量返送部２２０によって大容量給紙トレイ２１１に返送している。
【００７０】
したがって、大容量給紙トレイ２１１を利用して用紙Ｐに画像形成を行う際に、画像形成中止によって発生した画像形成非実行の白紙用紙Ｐの再利用を安価かつ適切に図ることができ、白紙用紙Ｐを利用する上での手間を省いて、利用性を安価に向上させることができる。
【実施例４】
【００７１】
図４は、本発明の画像形成装置の第４実施例を適用した画像形成装置３００の正面概略構成図である。
【００７２】
なお、本実施例は、上記第１実施例の画像形成装置１と同様の画像形成装置に適用したものであり、本実施例の説明において、上記第１実施例と同様の構成部分には、同一の符号を付して、その説明を省略または簡略化する。
【００７３】
本実施例の画像形成装置３００は、上記第１実施例の画像形成装置１と同様の用紙給紙部１０、用紙搬送部２０、画像形成部３０、排紙搬送部４０、切り替え部５０、返送部６０等を備えているとともに、待避部３１０を備えている。
【００７４】
待避部（待避手段、反転搬送手段）３１０は、返送部６０に接続され所定枚数の用紙Ｐを載置する容量を有する待避トレイ３１１、該待避トレイ３１１への用紙Ｐの収納と排出を行う複数のローラ３１２、３１３等を備えている。
【００７５】
次に、本実施例の作用を説明する。本実施例の画像形成装置３００は、画像形成を中止させる所定の画像形成中止理由が発生して、該画像形成中止理由の発生によって画像形成部３０で画像形成されない白紙用紙Ｐが発生すると、該白紙用紙Ｐを、一旦待避部３１０に待避させた後、所定のタイミングに用紙給紙部１０の給紙トレイ１１ａ、１１ｂに戻す搬送制御処理を行う。
【００７６】
すなわち、画像形成装置３００は、画像形成を行っている途中または画像形成を開始する際に、操作表示部での画像形成中止操作またはホスト装置からの画像形成中止コマンドの入力があって画像形成中止理由が発生して、既に用紙給紙部１０から送り出した用紙Ｐへの画像形成が中止されて、画像形成部３０で用紙Ｐへの画像形成が行われず、白紙用紙Ｐが発生するが、この白紙用紙Ｐは、画像形成部３０で画像形成面（感光体３３側の面）に画像形成されていないため、再利用が可能である。
【００７７】
そこで、画像形成装置３００は、画像形成中止理由の発生によって、画像形成部３０で画像形成されていない白紙用紙Ｐが発生すると、切り替え部５０を排紙トレイ３方向から返送部６０方向に切り替える。画像形成装置３００は、画像形成部３０で画像形成されることなく画像形成部３０を通過した白紙用紙Ｐを排紙搬送部４０によって切り替え部５０に搬送し、切り替え部５０が、搬送されてきた白紙用紙Ｐを返送部６０方向に送り込む。返送部６０は、切り替え部５０から送り込まれてきた白紙用紙Ｐを、待避部３１０に送り込み、待避部３１０は、返送部６０から送り込まれてきた白紙用紙Ｐを、ローラ３１２、３１３によって待避トレイ３１１上に載置収納する。待避部３１０は、所定タイミングにローラ３１２、３１３によって、待避トレイ３１１に待避させた白紙用紙Ｐを、用紙給紙部１０の給紙トレイ１１ａ、１１ｂに返送する。
【００７８】
この待避部３１０に待避させた白紙用紙Ｐを用紙給紙部１０に返送するタイミングは、適宜設定可能であり、例えば、操作表示部で返送指示操作が行われたタイミング、ホスト装置から返送指示コマンドが入力されたタイミング、画像形成動作に対応させた所定タイミング等である。
【００７９】
また、返送部６０から用紙給紙部１０に返送する白紙用紙Ｐを一旦待避部３１０に待避させるか否かを適宜選択可能としてもよく、この待避選択は、操作表示部の操作、外部ホスト装置からのコマンド等によって行うことができる。
【００８０】
なお、上記説明では、白紙用紙Ｐを用紙給紙部１０に戻す第１実施例の画像形成装置１に待避部３１０を設けた場合について説明したが、上記第２実施例の手差し給紙部１１０に白紙用紙Ｐを戻す画像形成装置１００、第３実施例の大容量返送部２２０に白紙用紙Ｐを戻す画像形成装置２００に対しても同様に適用することができる。
【００８１】
このように、本実施例の画像形成装置１００は、画像形成部３０で画像形成する際に、画像形成中止理由が発生して、白紙用紙Ｐが発生すると、該白紙用紙Ｐを、返送部６０から給紙トレイ１１ａ、１１ｂや手差し給紙部１１０、大容量返送部２２０に返送するときに、一旦待避トレイ３１１に待避させて、所定タイミングに給紙トレイ１１ａ、１１ｂや手差し給紙部１１０、大容量返送部２２０に返送している。
【００８２】
したがって、白紙用紙Ｐを適切なタイミングを選択して給紙トレイ１１ａ、１１ｂや手差し給紙部１１０、大容量返送部２２０に返送することができ、利用性をより一層向上させることができる。
【００８３】
なお、本実施例の画像形成装置３００は、上記返送部６０と待避部３１０及び用紙給紙部１０を、画像形成部３０で片面に画像形成された用紙Ｐを表裏反転させて、再度用紙搬送部２０を通して画像形成部３０に搬送する反転搬送部（反転搬送手段）として利用することで、用紙Ｐの両面に画像形成する両面画像形成処理を実行することができる。
【００８４】
すなわち、画像形成装置３００は、両面画像形成処理を実行しているときに、画像形成部３０で片面に画像形成された用紙を返送部６０によって待避部３１０に一旦送り込み、待避部３１０から用紙給紙部１０に搬送することで、片面画像形成済の用紙Ｐの表裏面を反転させる。画像形成装置３００は、片面画像形成済みの用紙Ｐを表裏反転させて、用紙給紙部１０に送り込んで、用紙給紙部１０から用紙搬送路２０に送り出して、画像形成部３０に搬送して、画像形成部３０で、用紙Ｐの裏面に画像形成する。
【００８５】
この片面画像形成済の用紙Ｐへの画像形成に対して画像形成中止理由が発生して、画像形成非実行の裏面白紙用紙Ｐが発生すると、該裏面白紙用紙Ｐを、返送部６０によって、直接用紙給紙部１０の給紙トレイ１１ａ、１１ｂに返送し、または、返送部６０によって一旦待避部３１０に待避させ、所定のタイミングで待避部３１０から表裏反転させた状態で用紙給紙部１０の給紙トレイ１１ａ、１１ｂに返送する。
【００８６】
したがって、用紙Ｐを表裏反転させて両面に画像形成する両面画像形成において、片面に画像形成した用紙Ｐが、画像形成中止理由の発生によって、裏面に画像形成が行われずに、裏面白紙用紙Ｐになると、該裏面白紙用紙Ｐの再利用を安価かつ適切に図ることができ、白紙用紙Ｐを利用する上での手間を省いて、利用性を安価に向上させることができる。
【００８７】
また、上記各実施例においては、白紙用紙Ｐを、用紙給紙部１０、手差し給紙部１１０、または、大容量給紙部２１０に返送する返送処理を実行するか否か、待避部３１０に一時待避させるか否かを操作表示部の操作やホスト装置からのコマンドによって選択可能とし、該選択結果に応じて返送処理や待避処理の実行制御を行っている。
【００８８】
したがって、利用者の画像形成の利用状況に応じて適宜返送処理や待避処理の実行を選択することができ、利用性をより一層向上させることができる。
【００８９】
さらに、上記各実施例においては、白紙用紙Ｐを返送する返送先を、白紙用紙Ｐと同じ用紙種別（用紙サイズ等）を収納しているまたは収納していた給紙トレイ１１ａ、１１ｂ、手差し給紙トレイ１１１または／及び大容量給紙トレイ２１１のうち、用紙残量の少ないあるいは空の給紙トレイ１１ａ、１１ｂ、手差し給紙トレイ１１１または／及び大容量給紙トレイ２１１に返送してもよい。
【００９０】
このようにすると、用紙残量の少ないあるいは空の給紙トレイ１１ａ、１１ｂ、手差し給紙トレイ１１１または／及び大容量給紙トレイ２１１に白紙用紙Ｐを返送して、リミットレス給紙等を実現することができ、利用性をより一層向上させることができる。
【００９１】
また、上記各実施例においては、画像形成装置として、用紙給紙部１０、用紙給紙部１０と手差し給紙部１１０及び用紙給紙部と大容量給紙部２１０を備えた画像形成装置１、画像形成装置１００、画像形成装置２００について説明したが、上記各実施例の用紙給紙部１０、手差し給紙部１１０及び大容量給紙部２１０が複数組み合わせた状態で備えている画像形成装置であっても、同様に適用することができ、この場合、白紙用紙Ｐをどの給紙部に戻すかを適宜設定して、該設定した給紙部に戻したり、用紙Ｐが空または少ない給紙部に戻すようにしてもよい。
【００９２】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００９３】
本発明は、画像形成中止によって発生した白紙用紙の有効利用を図るプリンタ装置、複写装置、複合装置等の画像形成装置に利用することができる。
【図面の簡単な説明】
【００９４】
【図１】第１実施例を適用した画像形成装置の正面概略構成図。
【図２】第２実施例を適用した画像形成装置の正面概略構成図。
【図３】第３実施例を適用した画像形成装置の正面概略構成図。
【図４】第４実施例を適用した画像形成装置の正面概略構成図。
【符号の説明】
【００９５】
１  画像形成装置
２  本体筐体
１０  用紙給紙部
１１ａ、１１ｂ  給紙トレイ
１２ａ、１２ｂ  送給ローラ
１３ａ、１３ｂ  アーム
１４ａ、１４ｂ  引き出しローラ
１５ａ、１５ｂ  ローラ
２０  用紙搬送部
２１  搬送ローラ
２２  レジストローラ
３０  画像形成部
３１  画像形成ユニット
３２  定着部
３３  感光体
３４  帯電部
３５  露光部
３６  現像部
３７  転写部
４０  排紙搬送部
４１、４２、４３  搬送ローラ
５０  切り替え部
６０  返送部
６１  返送路
６２、６３、６４、６５  搬送ローラ
１００  画像形成装置
１１０  手差し給紙部
１１１  手差し給紙トレイ
１１２  送給ローラ
１１３  アーム
１１４  引き出しローラ
１１５  ローラ
１２０  手差し返送部
１２１  手差し返送路
１２２、１２３  搬送ローラ
２００  画像形成装置
２１０  大容量給紙部
２１１  大容量給紙トレイ
２１２  送給ローラ
２１２  送給ローラ
２１３  アーム
２１４  引き出しローラ
２１５  ローラ
２１６  搬送ローラ
２２０  大容量返送部
２２１  大容量返送路
２２２、２２３  搬送ローラ
３００  画像形成装置
３１０  待避部
３１１  待避トレイ
３１２、３１３  ローラ
【図１】
2010072065.tif 000003
【図２】
2010072065.tif 000004
【図３】
2010072065.tif 000005
【図４】
2010072065.tif 000006